(57)【要約】【課題】粒子状物質除去装置に藁屑等が堆積するのを防止しつつ、コストダウンしたコンバインを提供する。【解決手段】エンジンルーム１１の後部側を覆う後部エンジンカバー３６と、ＤＰＦ（粒子状物質除去装置）の、後部エンジンカバー３６より機体左右方向に突出した部分を覆うＤＰＦカバー４３と、を備える。後部エンジンカバー３６の前方にＤＰＦが配置され、該後部エンジンカバー３６はＤＰＦのカバーとして兼用される。後部エンジンカバー３６とＤＰＦカバー４３の後カバー４３ｂ（後側面）は、連続するように形成される。【選択図】図５
2015128374.tif 000002
【特許請求の範囲】
【請求項１】
エンジンが格納されるエンジンルームと、該エンジンから排出される排気ガスに含まれる粒子状物質を除去する粒子状物質除去装置と、を備えたコンバインにおいて、
前記エンジンルームの後部側を覆う後部エンジンカバーと、
前記粒子状物質除去装置の、前記後部エンジンカバーより機体左右方向に突出した部分を覆うＤＰＦカバーと、を備え、
前記粒子状物質除去装置は、前記後部エンジンカバーの前方に配置され、
前記ＤＰＦカバーの後側面は、前記後部エンジンカバーと連続するように形成されてなる、
ことを特徴とするコンバイン。
【請求項２】
前記エンジンルーム内に機体左右方向の冷却風を吸引する冷却ファンを備え、
前記冷却風は、前記ＤＰＦカバー内及び前記ＤＰＦカバーの上方を通過してなる、
請求項１記載のコンバイン。
【請求項３】
前記ＤＰＦカバーは、前記粒子状物質除去装置の前側、後側及び左右一側を、所定空隙を有して覆うと共に、前記粒子状物質除去装置の上側を前記所定空隙よりも大きい隙間を有して覆い、
前記ＤＰＦカバーの上側面の近傍に各種センサを配置し、
前記冷却風は、前記ＤＰＦカバーの左右他側から侵入して、前記粒子状物質除去装置の下方に向けて案内されてなる、
請求項２記載のコンバイン。
【請求項４】
選別物を風選別する選別風を起風する唐箕ファンを備え、
前記ＤＰＦカバーの後側面に孔を形成し、
前記冷却風の一部が、前記孔を通って、前記唐箕ファンに吸引されてなる、
請求項３記載のコンバイン。
【発明の詳細な説明】
【技術分野】
【０００１】
本発明は、ディーゼルエンジンを搭載したコンバインに係り、詳しくは、該ディーゼルエンジンから排出された排気ガスをディーゼルパティキュレートフィルタによって浄化するコンバインに関する。
【背景技術】
【０００２】
一般に、ディーゼルエンジンから排出される排気ガスには、黒煙を主体とする粒子状物質が含まれ、排気ガス中から該粒子状物質を除去するディーゼルパティキュレートフィルタ（以下、ＤＰＦという）が知られている。従来、コンバインの右側方にエンジン及びラジエータを配置し、該ラジエータの後下部位置にＤＰＦを配置すると共に、エンジン、ラジエータ及びＤＰＦの前後及び上方を原動ボックスで覆ったコンバインが提案されている（特許文献１参照）。
【先行技術文献】
【特許文献】
【０００３】
【特許文献１】特開２０１１−２３０５２２号公報
【発明の概要】
【発明が解決しようとする課題】
【０００４】
上記特許文献１記載のものは、ＤＰＦを覆うために原動ボックスの後下部に膨らみ部を形成し、一つの原動ボックスによってエンジン、ラジエータ及びＤＰＦを覆っている。該原動ボックスを作成するためには、金型等の型を新しく作り直す必要があり、またその型自体も大きなものとなり、大きなコストがかかる。また、該原動ボックスは左右及び下方が開放されており、機体左方に配置した脱穀装置の藁屑は、開放された原動ボックスの左方から侵入し、ＤＰＦに堆積し、該ＤＰＦに不具合が発生する虞がある。
【０００５】
そこで、本発明は、粒子状物質除去装置（ＤＰＦ）に藁屑等が堆積するのを防止しつつコストダウンし、上述した課題を解決したコンバインを提供することを目的とする。
【課題を解決するための手段】
【０００６】
本発明は、エンジン（Ｅ）が格納されるエンジンルーム（１１）と、該エンジン（Ｅ）から排出される排気ガスに含まれる粒子状物質を除去する粒子状物質除去装置（２７）と、を備えたコンバイン（１）において、
前記エンジンルーム（１１）の後部側を覆う後部エンジンカバー（３６）と、
前記粒子状物質除去装置（２７）の、前記後部エンジンカバー（３６）より機体左右方向に突出した部分（２７ｂ）を覆うＤＰＦカバー（４３）と、を備え、
前記粒子状物質除去装置（２７）は、前記後部エンジンカバー（３６）の前方に配置され、
前記ＤＰＦカバーの後側面（４３ｂ）は、前記後部エンジンカバー（３６）と連続するように形成されてなる、
ことを特徴とする。
【０００７】
例えば図６に示すように、前記エンジンルーム（１１）内に機体左右方向の冷却風を吸引する冷却ファン（２５）を備え、
前記冷却風は、前記ＤＰＦカバー（４３）内及び前記ＤＰＦカバー（４３）の上方を通過してなる。
【０００８】
例えば図６，図７及び図９に示すように、前記ＤＰＦカバー（４３）は、前記粒子状物質除去装置（２７）の前側、後側及び左右一側を、所定空隙（ｄ，ｅ，ｆ）を有して覆うと共に、前記粒子状物質除去装置（２７）の上側を前記所定空隙（ｄ，ｅ，ｆ）よりも大きい隙間（ｇ）を有して覆い、
前記ＤＰＦカバー（４３）の上側面（４３ｃ）の近傍に各種センサ（４５）を配置し、
前記冷却風は、前記ＤＰＦカバー（４３）の左右他側から侵入して、前記粒子状物質除去装置（２７）の下方に向けて案内されてなる。
【０００９】
例えば図６に示すように、選別物を風選別する選別風を起風する唐箕ファン（５２）を備え、
前記ＤＰＦカバー（４３）の後側面（４３ｂ）に孔（４７）を形成し、
前記冷却風の一部が、前記孔（４７）を通って、前記唐箕ファン（５２）に吸引されてなる。
【００１０】
なお、上述カッコ内の符号は、図面と対照するためのものであるが、何ら本発明の構成を限定するものではない。
【発明の効果】
【００１１】
請求項１に係る本発明は、粒子状物質除去装置の、後部エンジンカバーより機体左右方向に突出した部分をＤＰＦカバーで覆い、ＤＰＦカバーで覆った部分以外は、後部エンジンカバーを粒子状物質除去装置のカバーとして共用したので、粒子状物質除去装置に藁屑等が堆積するのを防止しつつ、コストダウンすることができる。
【００１２】
請求項２に係る本発明は、冷却風がＤＰＦカバーの上方を通過するので、エンジンルーム内のヒートバランスを良好に保つことができる。
【００１３】
請求項３に係る本発明は、粒子状物質除去装置と隙間を有して配置されたＤＰＦカバーに各種センサを配置し、かつ冷却風が粒子状物質除去装置の下方に抜けるので、各種センサが粒子状物質除去装置の熱風で不具合を起こすことを防止することができる。
【００１４】
請求項４に係る本発明は、ＤＰＦカバー内の冷却風の一部を唐箕ファンによって吸引するので、脱穀部内の濡れ材等に熱風となった冷却風が当たり、脱穀性能を向上することができる。
【図面の簡単な説明】
【００１５】
【図１】本発明の実施の形態に係るコンバインを示す全体側面図。
【図２】機体フレーム及びエンジンルームを示す平面図。
【図３】エンジンルーム及び唐箕ファンを示す側面図。
【図４】エンジンルーム及びＤＰＦを示す左斜視図。
【図５】エンジンルーム及びＤＰＦをそれぞれカバーで覆った左斜視図。
【図６】ＤＰＦの左側端部をＤＰＦカバーで覆った右斜視図。
【図７】ＤＰＦとＤＰＦカバーの空隙を示す底面図。
【図８】ＤＰＦ、ＤＰＦカバー及び接続パイプを示す右側面図。
【図９】ＤＰＦから接続パイプを取り外した状態を示す右側面図。
【発明を実施するための形態】
【００１６】
以下、図面に沿って、本発明の実施の形態について説明する。コンバイン１は、図１に示すように、左右一対のクローラ式走行装置である走行装置２に支持された機体３を有しており、該機体３の前方には、圃場の穀稈を刈取る前処理部５が昇降自在に設けられている。上記機体３の前方一側方（機体右側）には、作業者が運転操作を行うキャビン６が設けられており、他側方（機体左側）には、上記前処理部５で刈取り・搬送された穀稈を脱穀処理及び選別処理する脱穀部７（図２参照）が設けられている。上記キャビン６の後方には、上記脱穀部７で脱穀・選別された穀粒を貯蔵するグレンタンク９が配置されており、該グレンタンク９の後方には、該グレンタンク９内に貯蔵された穀粒を機外に排出するための排出オーガ１０が設けられている。
【００１７】
上記キャビン６内の運転座席（不図示）の後下方には、ディーゼルエンジンからなるエンジンＥ（図２参照）が格納されているエンジンルーム１１が配置されており、該エンジンルーム１１の上方には、エアクリーナ（不図示）が収容されているエアクリーナルーム１２が設けられている。上記エンジンルーム１１と上記エアクリーナルーム１２とは、仕切り壁１３によって分離されており、上記エンジンルーム１１と上記エアクリーナルーム１２との間を後述する冷却風が行き来することのないように構成されている。
【００１８】
上記エンジンルーム１１は、上記キャビン６のドア１５が設けられている上記機体３の右側面に吸気口１６が開口しており、該吸気口１６には、網状に形成された防塵網を有するエンジンルームドア１７が開閉自在に取り付けられている。上記エアクリーナルーム１２にも、同様にして、右側面に吸気口１９が開口し、該吸気口１９には、網状に形成された防塵網を有するエアクリーナルームドア２０が開閉自在に取り付けられている。これらエンジンルームドア１７及びエアクリーナルームドア２０によって、藁屑等の異物がエンジンルーム１１及びエアクリーナルーム１２内に混入することを防止しつつ、その内部に冷却風を吸気できるように構成されている。
【００１９】
一方、上記脱穀部７は、図２及び図３に示すように、上方の扱室（不図示）と、下方の選別室５０と、に分かれて構成されており、扱室に軸５１を介して回転支持される扱胴（不図示）によって脱穀された選別物は、選別室５０に漏下する。該選別室５０では、選別物は、揺動選別されると共に、選別風を起風する唐箕ファン５２によって風選別されるようになっている。該脱穀部７への動力伝達は、まずエンジンＥから上記唐箕ファン５２の回転軸５３に伝達される。そして、該回転軸５３の右端に固定された駆動プーリ５５と、中間軸５６に固定された従動プーリ５７と、にはテンションプーリ５９によって緊張状態となった伝動ベルト６０が巻き掛けられており、回転軸５３から中間軸５６へ回転伝達されるようになっている。中間軸５６の回転は、軸、プーリ、ベルト、及びベベルギヤからなる伝動機構６１を介して、扱胴の上記軸５１に伝達される。
【００２０】
上記エンジンＥは、機体フレーム２１に、防振ゴム２２及びエンジンマウント２３を介して載置されており、上記エンジンＥの上記脱穀部７と反対側には、該エンジンＥを冷却するラジエータ２４と、エンジンルーム１１内に冷却風を吸引して該ラジエータ２４を冷却する冷却ファン２５と、等が配置されている。上記冷却ファン２５は、ベルト及びテンションプーリからなるファン駆動停止機構２６によって、不図示のオルタネータやウォータポンプへの駆動を停止することなく駆動停止でき、エンジンルームドア１７に付着した藁屑の除去ができるようになっている。
【００２１】
エンジンＥの後方かつ機体フレーム２１上には、粒子状物質除去装置２７（以下、ＤＰＦという）が配置されており、該ＤＰＦ２７は、上記エンジンＥと接続パイプ２９で接続されると共に、エンジンＥから排出される排気ガスに含まれる粒子状物質を捕集し、更に燃焼することで該粒子状物質を除去する。上記ＤＰＦ２７は、図２に示すように、平面視において上記エンジンＥが格納されるエンジンルーム１１及び上記脱穀部７に重なるように配置されている。上記脱穀部７は、脱穀を行うための部品全てから構成され、当然上記唐箕ファン５２の回転軸５３、駆動プーリ５５、伝動ベルト６０、従動プーリ５７及び中間軸５６も含まれる。より詳しく言えば、上記ＤＰＦ２７は、上記伝動ベルト６０の下方にて、平面視において、該伝動ベルト６０と一部重なるように配置されている。なお、上記エンジンルーム１１の後端は、後述する後部エンジンカバー３６によって区画される。このように上記ＤＰＦ２７を配置したので、エンジンルーム１１及び脱穀部７の空きスペース、特に伝動ベルト６０の下方の空きスペースを利用して、コンパクトにＤＰＦ２７を配置することができる。また、ＤＰＦ２７は、エンジンルームドア１７から所定距離離れて配置されているので、作業者が誤って高温となるＤＰＦに触れてしまうことを防止して、安全性を向上することができる。
【００２２】
上記機体フレーム２１からは、図４ないし図６に示すように、上記エンジンルーム１１を囲むように支柱３１，３２，３３が立設しており、これら支柱３１，３２，３３は、上記エアクリーナルーム１２の上記エアクリーナルームドア２０側及び仕切り壁１３側の面以外の面を覆うエアクリーナルームカバー３５を支持している。また、上記支柱３３は、上記エンジンルーム１１の後部側を覆う後部エンジンカバー３６を支持している。上記ＤＰＦ２７は、その長手方向が機体左右方向となるように横置きされていると共に、上記後部エンジンカバー３６の前方かつ上記エンジンＥ及び支柱３２の後方に配置されている。上記支柱３２は、上記エンジンＥと上記ＤＰＦ２７との間に配置されると共に、上記ＤＰＦ２７に近接して配置されている。
【００２３】
上記接続パイプ２９と上記ＤＰＦ２７が接続される接続部３４は、上記ＤＰＦ２７の上記脱穀部７と反対側、すなわち機体左右方向の右側端部２７ａ、かつ上記冷却ファン２５の後方に配置されている。このように、接続部３４を脱穀部７から遠隔して配置したことで、脱穀部７にて発生する藁屑が接続部３４に堆積することを防止し、藁屑によるＤＰＦ２７の不具合を防止することができる。更に、上記接続部３４が上記冷却ファン２５の後方に配置されるので、冷却ファン２５によって起風された冷却風が上記接続部３４近傍に吹付けて、藁屑の堆積を確実に防止することができる。
【００２４】
また、上記接続パイプ２９は、上記エンジンＥの後方において、前側パイプ２９ａと、後側パイプ２９ｂと、に分割されている。上記前側パイプ２９ａと後側パイプ２９ｂは、フランジ及びボルトからなるフランジ部２９ｃによって接離自在に構成されている。上記前側パイプ２９ａは、図４に示すように、上記エンジンＥの左上部から機体後方に延びる後方延出部３７と、上記支柱３２の近傍において、該支柱３２に対して上記エンジンＥの反対側を通って屈曲する屈曲部３９と、該屈曲部３９から下方傾斜して上記フランジ部２９ｃへ延びる下方延出部４０と、を有している。上記接続パイプ２９を構成する、後方延出部３７、屈曲部３９及び下方延出部４０を有する前側パイプ２９ａと、後側パイプ２９ｂは、上記エンジンルーム１１に格納されるようになっており、該接続パイプ２９内の排気ガスは高温に保たれる。これにより、ＤＰＦ２７の性能の劣化を防止することができる。
【００２５】
上記ＤＰＦ２７の機体左右方向の左側端部２７ｂ（突出した部分）は、上記後部エンジンカバー３６より機体左右方向左側に突出していると共に、その後端面からテールパイプ４１が延出している。該テールパイプ４１は、上記機体フレーム２１の下方に延びて、排気音を減音するディフューザー４２に接続されている。ＤＰＦ２７の上記左側端部２７ｂは、その前側、後側、上側、及び左側（左右一側）を、それぞれ前カバー４３ａ（図８及び図９参照），後カバー４３ｂ（後側面）、上カバー４３ｃ（上側面）及び左カバー４３ｄによって覆われており、これら前カバー４３ａ，後カバー４３ｂ、上カバー４３ｃ及び左カバー４３ｄは、ＤＰＦカバー４３を構成している。すなわち、該ＤＰＦカバー４３は、機体右側及び機体下側は開放されて構成されている。
【００２６】
上記前カバー４３ａ、後カバー４３ｂ及び左カバー４３ｄは、図７に示すように、上記ＤＰＦ２７に対してそれぞれ狭小な空隙ｄ，ｅ，ｆ（所定空隙）を有して配置されており、他方上記上カバー４３ｃは、図８及び図９に示すように、上記ＤＰＦ２７に対して上記空隙ｄ，ｅ，ｆよりも大きい隙間ｇを有して設けられている。上記上カバー４３ｃの近傍には、上記ＤＰＦ２７内に捕集された粒子状物質の量を検知する差圧センサや、ＤＰＦ２７内の温度を検知する温度センサ等からなるセンサ群４５が配置されている。上記ＤＰＦ２７と上記支柱３２は近接して配置されているため、例えば配線を支柱３２にクランプすることで、上記センサ群４５の配索に支柱３２を利用することができ、利便性を向上することができる。
【００２７】
上記後カバー４３ｂは、上記後部エンジンカバー３６と面一となって連続して形成されていると共に、上記テールパイプ４１の上記ＤＰＦ２７との接続部分を覆うテールパイプカバー４６と、該テールパイプカバー４６の上方に設けられる矩形の孔４７と、が形成されている。上記ＤＰＦ２７の後方は、その左側端部２７ｂが後カバー４３ｂで覆われ、該左側端部２７ｂ以外の部分が上記後部エンジンカバー３６で覆われているが、本来エンジンルーム１１の後方を覆う後部エンジンカバー３６をＤＰＦ２７のカバーとして共用しているため、コストダウンすることができる。また、ＤＰＦカバー４３は、脱穀部７側の左側面も左カバー４３ｄによって覆われ、かつ後部エンジンカバー３６に面一に形成されているため、脱穀部７で発生する藁屑がＤＰＦ２７に堆積するのを防止することができる。上記テールパイプカバー４６は、その上面が後方に傾斜して形成されており、上記ＤＰＦカバー４３内に藁屑等が侵入しないようになっている。
【００２８】
本実施の形態は、以上のような構成からなるので、作業者がエンジンＥを始動すると、冷却ファン２５が駆動開始する。該冷却ファン２５によって起風された冷却風は、ラジエータ２４やエンジンＥを冷却しつつ、機体右方向から機体左方向へと吹付ける。この際、エンジンルーム１１の後部は、後部エンジンカバー３６で覆われているために、エンジンルーム１１の後方に冷却風が分散することはない。そして、該冷却風は、エンジンＥの後側及び後部エンジンカバー３６に沿って案内されて、ＤＰＦカバー４３の上カバー４３ｃによって、ＤＰＦカバー４３の上方を通過する上冷却風ＡとＤＰＦカバー４３内を通過する下冷却風Ｂに分かれる（図６参照）。
【００２９】
上冷却風Ａは、エンジンルーム１１内の熱風を機体左方に排出して、該エンジンルーム１１内のヒートバランスを良好に保つことができる。下冷却風Ｂは、機体右側（機体左右他側）からＤＰＦカバー４３内に侵入し、その大半は、ＤＰＦカバー４３の左カバー４３ｄに案内されて、排出冷却風Ｃとして、機体３下方に排出される。該排出冷却風Ｃによって、ＤＰＦカバー４３内の雰囲気温度は、高温になりすぎることなく、またセンサ群４５が、ＤＰＦ２７から隙間ｇを空けて高く配置された上カバー４３ｃの近傍に配置されたことと相俟って、センサ群４５がＤＰＦ２７の熱風で不具合を起こすことを防止することができる。
【００３０】
排出冷却風Ｃの一部は、後カバー４３ｂに設けられた孔４７を通って、唐箕冷却風ＤとしてＤＰＦカバー４３の外方へと進み、該唐箕冷却風Ｄは、唐箕ファン５２によって吸引されて、脱穀部７の選別室に案内される。ここで、該唐箕冷却風Ｄは、ラジエータ２４、エンジンＥ、ＤＰＦ２７及び接続パイプ２９等の熱を吸収して、熱風又は温風となっている。そして、選別室に案内された唐箕冷却風Ｄは、該選別室内の選別物を乾燥させ、脱穀部７の選別性能を向上することができる。特に、選別物が濡れ材の場合には、該濡れ材の水分を飛ばし、精度よく選別することができる。
【００３１】
なお、本実施の形態では、後部エンジンカバー３６とＤＰＦカバー４３を別体として構成したが、これらを一体として一つのカバーを構成するようにしてもよい。
【００３２】
また、図６において、冷却風を便宜的に上冷却風Ａ、下冷却風Ｂ、排出冷却風Ｃ又は唐箕冷却風Ｄと名付けて説明したが、冷却ファン２５によって起風される冷却風は、これらの冷却風以外にも存在し、また上述の上冷却風Ａ、下冷却風Ｂ、排出冷却風Ｃ又は唐箕冷却風Ｄで示す冷却風の方向は、一例に過ぎない。
【００３３】
また、コンバイン１に圃場の凹凸に応じてクローラ高さを上下させる車体水平制御装置を設け、ＤＰＦ２７を再生する際には、クローラ高さを最大にするように制御する構成として、圃場の排藁と高温となるＤＰＦを遠隔するようにしてもよい。
【符号の説明】
【００３４】
１    コンバイン
１１    エンジンルーム
２５    冷却ファン
２７    ＤＰＦ（粒子状物質除去装置）
２７ｂ    左側端部（突出した部分）
３６    後部エンジンカバー
４３    ＤＰＦカバー
４３ｂ    後カバー（後側面）
４３ｃ    上カバー（上側面）
４５    センサ群（各種センサ）
４７    孔
５２    唐箕ファン
ｄ，ｅ，ｆ    所定空隙
ｇ    隙間
Ｅ    エンジン
【図１】
2015128374.tif 000003
【図２】
2015128374.tif 000004
【図３】
2015128374.tif 000005
【図４】
2015128374.tif 000006
【図５】
2015128374.tif 000007
【図６】
2015128374.tif 000008
【図７】
2015128374.tif 000009
【図８】
2015128374.tif 000010
【図９】
2015128374.tif 000011